(57)【要約】【課題】ＰＣＢやＰＣＢを含有する部材を一元的に管理し、地震や火災などの非常時に即座に対応する非常時対応ＰＣＢ管理システムを提供する。【解決手段】ＰＣＢの入った容器１に取り付けられたチップ３はセンサを持ち、容器１内の内圧、管理部屋の振動、温度、大気中のＰＣＢ濃度を検知する。また、計量台２の重量検知センサは、容器１の重量データをチップ３に送る。検知した各検知データおよび重量データは受信機４に送信される。受信機４は、予め設定された各データの閾値と、送信されたデータを比較し、閾値を越えていたら電話器２１を用いて管理センタ２３へ発呼する。管理センタ２３は、非常の度合いに応じてＰＣＢを保有する管理者に連絡し、また消防署や警察署に連絡する。【選択図】　　　図１
2004127001.tif 000002
【特許請求の範囲】
【請求項１】
ＰＣＢあるいはＰＣＢを含む部材の入った容器の重量を計量する計量手段と、
前記容器に取り付けられるチップであって、ＰＣＢの状態を検知する検知センサと、前記計量手段によって計量した重量データおよび前記検知センサによって取得した検知データを送信する送信手段とを具備するチップと、
前記チップから送信された計量データおよび検知データを受信する受信機であって、ＰＣＢの状態に異常があるか否か判別する判別手段と、前記判別の結果ＰＣＢの状態に異常があった場合に、所定の連絡先に連絡する連絡手段とを有する受信機と
を具備する非常時対応ＰＣＢ管理システム。
【請求項２】
前記検知センサが、振動検知センサと、温度検知センサと、空気中のＰＣＢ濃度を検知するＰＣＢ濃度検知センサと、前記ＰＣＢの入った容器内の内圧を検知する内圧検知センサである
ことを特徴とする請求項１記載の非常時対応ＰＣＢ管理システム。
【請求項３】
前記連絡先は、ＰＣＢの異常時に対応を行う管理施設である
ことを特徴とする請求項１記載の非常時対応ＰＣＢ管理システム。
【請求項４】
ＰＣＢあるいはＰＣＢを含む部材の入った容器の重量を計量手段によって計量する第１の過程と、
前記容器に取り付けられたチップに具備されたセンサがＰＣＢの状態を検知する第２の過程と、
前記チップ内の送信手段が、前記計量手段が計量した容器の重量データおよび前記センサが検知したＰＣＢの状態を示す検知データを送信する第３の過程と、
受信機が前記重量データおよび前記検知データを受信する第４の過程と、
前記受信機が、ＰＣＢの状態に異常があるか否か判別し、異常があった場合に所定の連絡先に連絡する第５の過程と、
を有する非常時対応ＰＣＢ管理方法。
【請求項５】
前記センサが、振動、周囲の温度、空気中のＰＣＢ濃度、ＰＣＢの入った容器内の内圧を検知するセンサである
ことを特徴とする請求項４記載の非常時対応ＰＣＢ管理方法。
【発明の詳細な説明】
【０００１】
【発明の属する技術分野】
本発明は、保管しているＰＣＢを一元管理し、非常時において適切な処置ができるようにする非常時対応ＰＣＢ管理システムに関する。
【０００２】
【従来の技術】
ＰＣＢ（ポリ塩化ビフェニール）は、その優れた特性により、１９７０年代の中ごろまで受電設備や配電用のトランス、コンデンサや蛍光灯の安定器、ノンカーボン紙などに広く使われてきた。しかし、人体への有害な影響が判明し、日本では１９７４年以降、一切の製造や輸入、新たな使用が禁じられ、保管が義務付けられてきた。
ＰＣＢはその安定性故に処理が難しく、低温で燃やすとダイオキシンが発生するため、廃棄が進まず保管されたままになっている。
近年、ＰＲＴＲ法（特定化学物質管理促進法）の施行により、ＰＣＢをはじめとした有害化学物質の保管、処理における管理徹底がさらに重要になってきている。
【０００３】
ＰＣＢによる環境汚染を防ぐため、従来の技術では、ＰＣＢに汚染された土壌を採取するために、汚染土壌の微粒子が大気中に飛散しないようテントを張り、汚染土壌を絶対隔絶密封容器に採取して充填蓋締めし、保管庫に搬入するものもある（例えば、特許文献１参照）。
【０００４】
【特許文献１】
特開２００２−１５９９３３号公報
【０００５】
【発明が解決しようとする課題】
大企業では、ＰＲＴＲ法の情報が得やすく、費用をかけて保管や処理の管理を徹底して行っている。
しかし、中小企業や個人のＰＣＢ保持者では、情報不足のためにＰＲＴＲ法自体を知らず、ＰＣＢの適正な処理を行っていないことが多い。また、処理費用の確保が難しいため、ＰＣＢ保有の不申告、ＰＣＢの不法投棄、垂れ流しなどが行われる場合がある。
また、地震や火災など、非常時の混乱で保管していたＰＣＢが紛失してしまったり、火災によってＰＣＢを含んでいる蛍光灯が燃焼し、大気中にダイオキシンとして飛散したりする場合もある。また、トランスやコンデンサなどＰＣＢを含む部材においては、部材の劣化でＰＣＢが外部に漏れ出す場合がある。上記のような点で、ＰＣＢの管理については環境上問題になっている。
【０００６】
本発明はこのような点を鑑みてなされたもので、ＰＣＢを一元的に管理し、地震や火災などの非常時、あるいは何らかの原因によるＰＣＢの状態の変動に即座に対応することで環境に影響を与えることを防ぐ、非常時対応ＰＣＢ管理システムを提供することを目的としている。
【０００７】
【課題を解決するための手段】
上記した目的を達成するために、請求項１記載の非常時対応ＰＣＢ管理システムは、ＰＣＢあるいはＰＣＢを含む部材の入った容器の重量を計量する計量手段と、前記容器に取り付けられるチップであって、ＰＣＢの状態を検知する検知センサと、前記計量手段によって計量した重量データおよび前記検知センサによって取得した検知データを送信する送信手段とを具備するチップと、前記チップから送信された計量データおよび検知データを受信する受信機であって、ＰＣＢの状態に異常があるか否か判別する判別手段と、前記判別の結果ＰＣＢの状態に異常があった場合に、所定の連絡先に連絡する連絡手段とを有する受信機とを具備する。
【０００８】
請求項２記載の発明は、請求項１記載の非常時対応ＰＣＢ管理システムにおいて、前記検知センサが、振動検知センサと、温度検知センサと、空気中のＰＣＢ濃度を検知するＰＣＢ濃度検知センサと、前記ＰＣＢの入った容器内の内圧を検知する内圧検知センサであることを特徴とする。
【０００９】
請求項３記載の発明は、請求項１記載の非常時対応ＰＣＢ管理システムにおいて、前記連絡先は、ＰＣＢの異常時に対応を行う管理施設であることを特徴とする。
【００１０】
請求項４記載の非常時対応ＰＣＢ管理方法は、ＰＣＢあるいはＰＣＢを含む部材の入った容器の重量を計量手段によって計量する第１の過程と、前記容器に取り付けられたチップに具備されたセンサがＰＣＢの状態を検知する第２の過程と、前記チップ内の送信手段が、前記計量手段が計量した容器の重量データおよび前記センサが検知したＰＣＢの状態を示す検知データを送信する第３の過程と、受信機が前記重量データおよび前記検知データを受信する第４の過程と、前記受信機が、ＰＣＢの状態に異常があるか否か判別し、異常があった場合に所定の連絡先に連絡する第５の過程とを有する。
【００１１】
請求項５記載の発明は、請求項４記載の非常時対応ＰＣＢ管理方法において、前記センサが、振動、周囲の温度、空気中のＰＣＢ濃度、ＰＣＢの入った容器内の内圧を検知するセンサであることを特徴とする。
【００１２】
【発明の実施の形態】
以下、図面を参照して本発明の実施の形態を説明する。
図１は、本発明の一実施形態に係る非常時対応ＰＣＢ管理システムの概略構成を示すブロック図である。非常時対応ＰＣＢ管理システム１０内の容器１は中にＰＣＢ溶液またはＰＣＢを含む部材を含有しており、蓋付きで密閉されている。ここで、ＰＣＢを含む部材とは、例えばＰＣＢ入り蛍光灯安定器やトランスなどを示している。計量台２は上部に容器１を載置し、ロードセルなどの重量検知センサで容器１の計量を行う。
チップ３は容器１の側面に接着して取り付けられている。図２にチップの構成図を示す。チップ３は振動検知センサ３１、室温検知センサ３２、空気中のＰＣＢ濃度を測定するＰＣＢ濃度センサ３３、容器１内の内圧を測定する内圧検知センサ３４、計量台２で測定した重量データを受ける端子３５を有する。各センサで得たデータと重量データは、チップ３の送信機３６に送られ、受信機４にＦＭ波で定期的に送られる。ＦＭ波は感度が良く、また安価であるため近距離の通信に有効であることから用いられる。
容器１、計量台２、チップ３は、ＰＣＢを保管、管理する管理部屋にある。
チップ３が容器１内の内圧を検知するために、容器１は、チップ３との接着面に微小な穴が開いており、その穴から容器１の内部に内圧検知センサを通している。
【００１３】
ＰＣＢ管理システム１０内の受信機４は、受信部４ａとメモリ（図示しない）と制御部（判別手段５、連絡手段６）を有する。受信部４ａは、チップ３の送信機３６からのＦＭ波を受信してチップ３からのデータを受け取る。メモリは、予め設定した振動、室温、空気中のＰＣＢ濃度の閾値を保持している。また、容器１内の前回の内圧データ、ＰＣＢの前回の重量データを保持している。
また、判別手段５は、チップ３からのデータを受信し、保持したデータと比較してＰＣＢに異常があるか否か判別する。また、連絡手段６は判別手段５の判別結果に基づき、電話機２１に発呼指示を行う。なお以下では、制御部の動作を受信機４での動作として述べる。
電話機２１は、連絡手段６からの発呼指示に基づき、通信ネットワーク２２を介して管理センタ２３に自動発呼する。
【００１４】
次に、図３に示すフローチャートを参照して、上記実施例の動作を説明する。計量台２は、ＰＣＢ溶液またはＰＣＢを含む部材を含有する容器１の重量を測定する。計量台２の重量検知センサは、その重量データをチップ３の端子３５に定期的に送る（ステップＳａ１）。チップ３の送信機３６は、端子３５から送られたその重量データを受信機４に定期的に送信する。受信機４は、メモリに保持していた前回の重量データと、今回送信された重量データを比較し（ステップＳｂ１）、重量が減少していたらＰＣＢが外部に漏れている可能性があるので、電話機２１を用いて管理センタ２３に自動発呼する（ステップＳｂ３）。
【００１５】
次に、チップ３の内圧検知センサ３４は、容器１の内圧を検知し（ステップＳａ２）、内圧データを送信機３６から受信機４にＦＭ波で定期的に送信する。受信機４は、メモリに保持していた前回の内圧データと今回送信された内圧データを比較し（ステップＳｂ５）、内圧が変化していたら、電話機２１を用いて管理センタ２３に自動発呼する（ステップＳｂ３）。内圧が低下していたら外部に漏れている可能性があり、上昇していたら周辺の温度が上昇している可能性がある。
【００１６】
次に、チップ３の振動検知センサ３１は、容器１の揺れにより管理部屋の振動を検知し（ステップＳａ３）、振動データを送信機３６から受信機４にＦＭ波で定期的に送信する。受信機４は、受信した振動データとメモリ内に予め設定されている振動の大きさの閾値とを比較する（ステップＳｂ７）。その閾値を越えていたら、受信機４は電話機２１を用いて管理センタ２３に自動発呼し（ステップＳｂ３）、地震や大きな振動で容器１が倒れている可能性があることを連絡する。
【００１７】
次に、チップ３の室温検知センサ３２は、管理部屋の室温を検知し（ステップＳａ４）、室温データを送信機３６から受信機４にＦＭ波で定期的に送信する。受信機４は、受信した室温データとメモリ内に予め設定されている室温の閾値とを比較する（ステップＳｂ９）。その閾値を越えていたら、電話機２１を用いて管理センタ２３に自動発呼する（ステップＳｂ１１）。管理センタ２３の担当者は、室温変化の連絡を受け、このＰＣＢを所有する管理者へ連絡して火災が起きていないか確認してもらう（ステップＳｂ１３）。
【００１８】
次に、ＰＣＢ溶液が容器１から漏れていないか検知するために、チップ３のＰＣＢ濃度センサ３３は管理部屋の空気中ＰＣＢ濃度を検知し（ステップＳａ５）、濃度データを送信機３６から受信機４にＦＭ波で定期的に送信する。受信機４は、受信した濃度データとメモリ内に予め設定されている濃度の閾値とを比較する（ステップＳｂ１５）。この閾値を越えていたら、ＰＣＢ溶液が容器１から漏れている可能性があるので、電話機２１を用いて管理センタ２３に自動発呼する（ステップＳｂ１７）。管理センタ２３の担当者は消防署や警察署に通報するとともに、このＰＣＢ溶液を所有する管理者に連絡する（ステップＳｂ１９）。
【００１９】
以上説明したように、本実施形態によれば、地震や火災など非常時においてＰＣＢが外部に漏れることの無いよう、またＰＣＢが容器から漏れていても、最小限の被害で済むように、センサ付きチップ３で管理部屋の状態を常に検知して受信機４に送り、異常があった場合に受信機４から管理センタ２３に連絡して直ちに処置することができる。
【００２０】
以上、本発明の実施形態について図面を参照して詳述してきたが、具体的な構成はこの実施形態に限られるものではなく、本発明の要旨を逸脱しない範囲の設計変更等も含まれる。
【００２１】
例えば、上記実施形態では、チップの送信をＦＭ波で行ったが、無線であればどのような伝送形態でもよい。
【００２２】
【発明の効果】
以上の説明で明らかなように、本発明によれば、ＰＣＢあるいはＰＣＢを含む部材の入った容器に取り付けられたチップがセンサを具備し、センサで検知した検知データと、前記容器の重量データを送信する。受信機は、チップが送信した検知データおよび重量データに基づき、ＰＣＢの状態に異常があるか否か判別し、異常があった場合、所定の連絡先に発呼する。これにより、ＰＣＢの状態を一元管理し、地震や火災などの非常時、あるいは何らかの原因によるＰＣＢの変動に迅速な対応を採ることができる。
【図面の簡単な説明】
【図１】本発明の一実施形態に係る非常時対応ＰＣＢ管理システムの概略構成を示すブロック図である。
【図２】同システムにおけるチップの構成図である。
【図３】同システムの動作を示すフローチャートである。
【符号の説明】
１…ＰＣＢまたはＰＣＢを含む部材の入った容器、２…計量台、３…チップ、４…受信機、１０…非常時対応ＰＣＢ管理システム、２１…電話機、２２…通信ネットワーク、２３…管理センタ
【図１】
2004127001.tif 000003
【図２】
2004127001.tif 000004
【図３】
2004127001.tif 000005